(57)【要約】      （修正有）【課題】従来よりも施工性が良好なブラケット、収納部付き便器装置及びその施工方法を提供する。【解決手段】壁面に取り付けられる収納部５０の天板５１３を支持するブラケット７００であって、天板５１３を支持する支持部と、収納部５０の後面側の壁面に取り付け固定される取り付け部と、収納部５０の扉を閉めたときに該扉と当接する戸当り部と、を備えるブラケット７００とした。【選択図】図１
2015183508.tif 000002
【特許請求の範囲】
【請求項１】
壁面に取り付けられる収納部の水平板を支持するブラケットであって、
前記水平板を支持する支持部と、
前記収納部の後面を構成する壁面に取り付け固定される取り付け部と、
前記収納部の扉を閉めたときに該扉と当接する戸当り部と、を備えるブラケット。
【請求項２】
前記戸当り部は、前記収納部の前面側における前記支持部の端部が下方に垂下して形成される請求項１に記載のブラケット。
【請求項３】
前記ブラケットは、前記収納部の前後方向に伸縮可能である請求項１又は２に記載のブラケット。
【請求項４】
前記取り付け部の取り付け面と、前記戸当り部の戸当り面は、互いに平行である請求項１から３いずれかに記載のブラケット。
【請求項５】
便器と、
前記便器の後方に設けられた収納部と、
前記収納部に収納され、前記便器の洗浄水を貯留するタンクと、を備える収納部付き便器装置であって、
前記便器の後方の壁面に取り付けられる前記収納部の水平板を支持する請求項１から４いずれかに記載のブラケットを備える収納部付き便器装置。
【請求項６】
請求項５に記載の収納部付き便器装置の施工方法であって、
便器を取り付ける第１工程と、
前記収納部の一対の仕切り板を取り付け固定する第２工程と、
前記収納部の天板を前記一対の仕切り板上に取り付ける第３工程と、
前記ブラケットを、前記天板の下面に当接させた状態で前記便器の後方の壁面に取り付け固定する第４工程と、を備える収納部付き便器装置の施工方法。
【請求項７】
前記第４工程は、前記ブラケットを前記収納部の前面側から取り付ける請求項６に記載の収納部付き便器装置の施工方法。
【発明の詳細な説明】
【技術分野】
【０００１】
本発明は、ブラケット、それを備える収納部付き便器装置及びその施工方法に関する。
【背景技術】
【０００２】
従来、タンクや排水管等を収納する収納部を備える収納部付き便器装置が知られている（例えば、特許文献１参照）。この収納部付き便器装置では、収納部は、便器の後方に配置され、便器の後方の壁面に沿って間口の全幅に亘って設けられる。収納部は、タンクの前面側に配置される前板と、タンクの上面側に配置される天板と、を少なくとも含んで構成される。
【先行技術文献】
【特許文献】
【０００３】
【特許文献１】特開２０１１−２５２２７９号公報
【発明の概要】
【発明が解決しようとする課題】
【０００４】
ところで、従来の収納部付き便器装置の天板は、トイレルームの両側壁面に取り付け固定された一対のブラケットにより支持される。そのため、ブラケットを側壁面に取り付け固定するための施工スペースを確保する観点から、ブラケットは収納部を構成する他部材よりも先に取り付けられる。従って、ブラケットを取り付ける際には、ブラケットの施工位置の目印となる他部材が取り付けられていない状態であるため、計測して位置出しを行う必要があり、施工性が悪かった。
【０００５】
また、ブラケットは前後方向に延びて設けられるため、ブラケットを側壁面に取り付け固定するためには少なくとも前後方向に離間した２箇所をビス止めする必要がある。そのため、そのうち１箇所は隅柱まわりの受け木にビス止めできるものの、残りの１箇所は隅柱まわりの受け木にビス止めできなかった。従って、側壁面に補強対策がなされておらず補強木等が取り付けられていないリフォーム現場にあっては、ブラケットの取り付け固定にプラグ施工が必要であった。しかしながら、プラグ施工は、部材点数が増え、壁面にプラグを埋め込む必要がある等、施工性が悪化する。
【０００６】
本発明は上記に鑑みてなされたものであり、その目的は、従来よりも施工性が良好なブラケット、収納部付き便器装置及びその施工方法を提供することにある。
【課題を解決するための手段】
【０００７】
上記目的を達成するため本発明は、壁面に取り付けられる収納部（例えば、後述の収納部５０）の水平板（例えば、後述の天板５１３）を支持するブラケット（例えば、後述のブラケット７００）であって、前記水平板を支持する支持部（例えば、後述の支持部７１０）と、前記収納部の後面を構成する壁面に取り付け固定される取り付け部（例えば、後述の取り付け部７２０）と、前記収納部の扉を閉めたときに該扉と当接する戸当り部（例えば、後述の戸当り部７３０）と、を備えるブラケットを提供する。
【０００８】
前記戸当り部は、前記収納部の前面側における前記支持部の端部が下方に垂下して形成されることが好ましい。
【０００９】
前記ブラケット（例えば、後述のブラケット８００）は、前記収納部の前後方向に伸縮可能であることが好ましい。
【００１０】
前記取り付け部の取り付け面（例えば、後述の取り付け面７２１）と、前記戸当り部の戸当り面（例えば、後述の戸当り面７３１）は、互いに平行であることが好ましい。
【００１１】
また本発明は、便器（例えば、後述の便器１０）と、前記便器の後方に設けられた収納部（例えば、後述の収納部５０）と、前記収納部に収納され、前記便器の洗浄水を貯留するタンク（例えば、後述のタンク２０）と、を備える収納部付き便器装置（例えば、後述の収納部付き便器装置１００）であって、前記便器の後方の壁面に取り付けられる前記収納部の水平板（例えば、後述の天板５１３）を支持する上述の各ブラケットを備える収納部付き便器装置を提供する。
【００１２】
さらに本発明は、上述の収納部付き便器装置の施工方法であって、便器（例えば、後述の便器１０）を取り付ける第１工程と、前記収納部の一対の仕切り板（例えば、後述の仕切り板５２Ｌ，５２Ｒ）を取り付け固定する第２工程と、前記収納部の天板を前記一対の仕切り板上に取り付ける第３工程と、前記ブラケットを、前記天板の下面に当接させた状態で前記便器の後方の壁面に取り付け固定する第４工程と、を備える収納部付き便器装置の施工方法を提供する。
【００１３】
前記第４工程は、前記ブラケットを前記収納部の前面側から取り付けることが好ましい。
【発明の効果】
【００１４】
本発明によれば、従来よりも施工性が良好なブラケット、それを備える収納部付き便器装置及びその施工方法を提供できる。
【図面の簡単な説明】
【００１５】
【図１】本発明の一実施形態に係る収納部付き便器装置を示す斜視図である。
【図２】上記実施形態に係る収納部付き便器装置の部分分解斜視図である。
【図３】上記実施形態に係る収納部付き便器装置の部分拡大斜視図である。
【図４】上記実施形態に係る収納部付き便器装置が備えるブラケットの斜視図である。
【図５】上記実施形態に係る収納部付き便器装置が備える扉の戸先の構造を説明するための図であり、（ａ）が上記実施形態に係る収納部付き便器の正面図であり、（ｂ）が（ａ）中に示す２点鎖線で囲まれた領域の拡大図である。
【図６】本実施形態に係る収納部付き便器装置の施工方法を説明するための図である。
【図７】上記実施形態の変形例に係るブラケットの斜視図であり、（ａ）が伸長前の状態を示し、（ｂ）が伸長後の状態を示す図である。
【発明を実施するための形態】
【００１６】
以下、本発明の収納部付き便器装置の好ましい一実施形態について、図面を参照しながら説明する。
先ず、本発明の一実施形態に係る収納部付き便器装置１００の全体構成について、図１及び図２を参照して説明する。
【００１７】
図１及び図２に示すように、本実施形態の収納部付き便器装置１００は、便器１０と、タンク２０と、手洗い器３０と、排水管４０と、収納部５０と、を備える。収納部付き便器装置１００は、後述するブラケット７００，７００により天板５１３が支持された収納部５０を有する。
【００１８】
便器１０は、便器本体１１と、この便器本体１１の上部に便器本体１１に対して開閉可能に取り付けられる便座（図示せず）及び便蓋１２と、を含んで構成される。
【００１９】
タンク２０は、便器１０の後方かつ上方に配置され、便器本体１１を洗浄する洗浄水を貯留する。このタンク２０は、タンク本体２１と、蓋部２２と、を備える。タンク本体２１は、上面が開口した箱状に形成され、洗浄水を貯留する。蓋部２２は、タンク本体２１の上面に配置され、タンク本体２１の上面を覆う。
【００２０】
手洗い器３０は、図１及び図２に示すように、タンク２０の側方かつ上方に配置される。この手洗い器３０は、手洗い鉢３１と、手洗い吐水管３２と、を備える。
【００２１】
手洗い鉢３１は、手洗い吐水管３２から吐出される手洗い水を受ける。この手洗い鉢３１の底部には、排水口３１１が形成されている。
手洗い吐水管３２は、手洗い鉢３１から起立するように配置される。この手洗い吐水管３２の先端部は、下方に開口している。
手洗い吐水管３２の基端部は、手洗い側給水配管（図示せず）を介してタンク２０に洗浄水を供給する給水部（図示せず）に接続される。
【００２２】
手洗い器３０には、タンク２０に供給される洗浄水の一部が、手洗い側給水配管を介して手洗い吐水管３２に供給される。これにより、給水部の動作によりタンク２０に洗浄水が貯留される場合に、この貯留される洗浄水の一部が手洗い吐水管３２から吐出される。
【００２３】
排水管４０は、タンク２０と手洗い器３０とを接続する。排水管４０は、手洗い器３０から排出される排水をタンク２０に導く。
【００２４】
収納部５０は、便器１０の後方に配置され、便器の後方の壁面に沿って間口の全幅に亘って設けられている。即ち、図１に示すように収納部５０は、便器１０の後方の両入隅部Ｓ，Ｓに接するように配置される。収納部５０は、タンク２０及び排水管４０を収納し、収納部５０の上部には手洗い器３０が配置される。
【００２５】
収納部５０は、収納部本体５１と、この収納部本体５１の内部空間を幅方向に区画する一対の仕切り板５２Ｌ，５２Ｒと、これら一対の仕切り板５２Ｌ，５２Ｒをつなぐ背板５３と、備える。ここで、本明細書において幅方向とは、便器１０の前後方向及び上下方向に直交する方向を意味する。
【００２６】
収納部本体５１は、前板５１１と、一対の扉板５１２Ｌ，５１２Ｒと、天板５１３と、を含んで構成される。
【００２７】
前板５１１は、収納部本体５１（収納部５０）における前側に配置される。前板５１１は、タンク２０の前面側に配置される。前板５１１は、タンク２０の前面を覆う。前板５１１の幅は、便器本体１１の幅よりも若干広く形成される。
【００２８】
また、前板５１１における幅方向の両端部は、床面Ｆ近傍まで延びて配置される。具体的には、前板５１１は、幅方向の両端部に配置され、下端部が床面Ｆ近傍に配置される延出部５１１Ｒ，５１１Ｌを有する。延出部５１１Ｒ，５１１Ｌは、固定部材６００，６００により床面Ｆに固定される。より詳しくは、延出部５１１Ｒ，５１１Ｌの底面はそれぞれ、固定部材６００，６００により床面Ｆに固定される。
【００２９】
上述の通り、延出部５１１Ｒ，５１１Ｌは、床面Ｆから離間して配置される。具体的には、延出部５１１Ｒ，５１１Ｌは、床面Ｆから離間して、固定部材６００，６００により床面Ｆに固定される。延出部５１１Ｒ，５１１Ｌは、例えば、床面から５ｍｍ程度離間して、固定部材６００，６００により床面Ｆに固定される。
【００３０】
一対の扉板５１２Ｌ，５１２Ｒそれぞれは、前板５１１の両側部にそれぞれ配置される。扉板５１２Ｌ，５１２Ｒそれぞれは、その表面が前板５１１の表面と面一になるように配置される。一対の扉板５１２Ｌ，５１２Ｒは、前板５１１に対してヒンジ（図示せず）を介して連結される。これにより、一対の扉板５１２Ｌ，５１２Ｒは、前板５１１に対して開閉可能に連結される。
【００３１】
扉板５１２Ｌ，５１２Ｒは、収納部本体５１の内部において一対の仕切り板５２Ｌ，５２Ｒの幅方向の外側に形成される物品収納空間の前側に開閉可能に配置される。扉板５１２Ｌ，５１２Ｒを開閉させることで、使用者は、物品収納空間に物品を出し入れできる。
【００３２】
なお、扉板５１２Ｌ，５１２Ｒの戸先側には、扉板５１２Ｌ，５１２Ｒに沿って延びる把手部５１４Ｌ，５１４Ｒが取り付けられる。把手部５１４Ｌ，５１４Ｒは、扉板５１２Ｌ，５１２Ｒの上端から下端に亘って取り付けられる。また、把手部５１４Ｌ，５１４Ｒの側壁側の端部には、把手部５１４Ｌ，５１４Ｒに沿って延びる軟質ゴムからなる緩衝部５１５Ｌ，５１５Ｒが設けられる。使用者は、把手部５１４Ｌ，５１４Ｒに指を掛けることで、扉板５１２Ｌ，５１２Ｒを容易に開閉させることができる。また、扉板５１２Ｌ，５１２Ｒを閉める際には、緩衝部５１５Ｌ，５１５Ｒの緩衝作用により衝撃が緩和される。
なお、これら把手部５１４Ｌ，５１４Ｒ及び緩衝部５１５Ｌ，５１５Ｒについては、後段で詳述する。
【００３３】
天板５１３は、収納部５０の上面を構成する水平板である。天板５１３は、収納部本体５１の上面のうち、手洗い器３０が配置されていない位置に配置される。本実施形態では、手洗い器３０は、図１に示すように、収納部５０を便器１０側から視た場合における左側の上部に配置されており、天板５１３は、収納部５０の上面の中央部及び右側を覆うように配置される。この天板５１３は、後述する背板５３の上面に、図示しない面ファスナーにより取り付け固定される。
【００３４】
一対の仕切り板５２Ｌ，５２Ｒは、前板５１１の幅方向のそれぞれの端部に、前板５１１に直交して配置される。一対の仕切り板５２Ｒ，５２Ｌは、前板５１１及び背板５３の幅方向のそれぞれの端部同士をつないで配置される。
一対の仕切り板５２Ｌ，５２Ｒは、タンク２０を幅方向に挟むように配置される。
また、一対の仕切り板５２Ｌ，５２Ｒは、収納部本体５１の内部を幅方向に区画する。一対の仕切り板５２Ｌ，５２Ｒは、収納部本体５１の内部を区画することで、一対の仕切り板５２Ｌ，５２Ｒの幅方向の外側に、物品を収納可能な物品収納空間を形成する。
【００３５】
仕切り板５２Ｌ，５２Ｒの上端部は、タンク２０の上端部よりも高い位置に位置する。また、一対の仕切り板５２Ｌ，Ｒの上面には、天板５１３が取り付けられる。
【００３６】
仕切り板５２Ｌ，５２Ｒの下端部は、床面から離間して配置される。ここで、従来では、仕切り板の便器側の端部が床面まで延出されて床面に固定されていたのに対して、本実施形態では、上述の通り前板５１１の延出部５１１Ｒ，５１１Ｌが床面に固定されるため、仕切り板を床面まで延出する必要がない。そのため、本実施形態では、仕切り板５２Ｌ，５２Ｒにおける下端部の全ては、床面Ｆから所定距離だけ離間している。従って、仕切り板５２Ｒ，５２Ｌと床面Ｆとの間には従来よりも大きな開口Ｋが形成され、給水ホースの取り回し（取り付け・取り外し）作業が容易となっている。
【００３７】
背板５３は、収納部５０における後面側に配置される。背板５３は、タンク２０の後面側における上方に配置され、便器１０の後方の壁面に固定される。背板５３は、一対の仕切り板５２Ｌ，５２Ｒの上部をつなぐ。言い換えると、背板５３は、一対の仕切り板５２Ｌ，５２Ｒにより、前板５１１とつながれている。
なお、収納部５０の後面は、便器１０の後方の壁面により構成される。
【００３８】
収納部５０の側面は、トイレルームの両側壁面が利用される。即ち、本実施形態では、収納部５０の側面を構成する側板を含むことなく収納部本体５１が構成される。
【００３９】
次に、本実施形態の収納部付き便器装置１００が備えるブラケット７００について、図３及び図４を参照して説明する。
図３は、本実施形態に係る収納部付き便器装置１００の部分拡大斜視図である。具体的には、便器１０側から視て収納部５０の右側上部の部分拡大斜視図である。ただし図３では、説明の便宜上、天板５１３の記載を省略して示している。
図３に示すように、便器１０側から視て収納部５０の右側上部には、天板５１３を支持するブラケット７００が配置されている。ブラケット７００は、支持部７１０と、取り付け部７２０と、戸当り部７３０と、を備える。なお、収納部５０の左側上部にも、同様のブラケット７００が配置されている。
【００４０】
支持部７１０は、長尺の板状に形成される。具体的には、支持部７１０は、収納部５０の前後方向に延び、収納部５０の後面を構成する壁面から収納部５０の前面にまで至る。
支持部７１０は、平面で形成された支持面７１１を上面に有する。支持部７１０は、この支持面７１１を天板５１３の下面に当接させて、天板５１３を支持する。
また、支持部７１０の幅方向の両端が下方に屈曲することで、フランジ７１２，７１２が形成されている。これにより、ブラケット７００の強度が向上している。
【００４１】
取り付け部７２０は、収納部５０の後面側における支持部７１０の端部から、下方に延びて形成される。取り付け部７２０は、平面で形成された取り付け面７２１を壁面側に有する。また、取り付け部７２０は、その延びる方向に離間して２つの締結孔７２２ａ，７２２ｂを有する。取り付け部７２０は、収納部５０の後面を構成する壁面に、２つの締結孔７２２ａ，７２２ｂを介して取り付け面７２１をビス７２３，７２３で固定することにより、取り付けられる。
なお、この取り付け面７２１は、後述の戸当り部７３０の戸当り面７３１と互いに平行となるように形成されている。
また、取り付け部７２０の幅方向の両端が収納部５０の前面側に屈曲することで、フランジ７２４，７２４が形成されている。これにより、ブラケット７００の強度が向上している。
【００４２】
ここで、図４は、本実施形態に係る収納部付き便器装置１００が備えるブラケット７００の斜視図である。より詳しくは、収納部５０の後面を構成する壁面に、ブラケット７００をビス７２３，７２３で固定するときの状態を示す図である。
図４に示すように、取り付け部７２０が有する２つの締結孔７２２ａ，７２２ｂのうち、上方に位置する締結孔７２２ａのみ、取り付け部７２０の延びる方向、即ち上下方向に長い長孔で構成される。従って、ブラケット７００の取り付け時には、上方の長孔で構成された締結孔７２２ａを上下に位置調整しながら仮止めし、位置を確定させてから下方の締結孔７２２ｂとともに両締結孔を本止めする。これにより、ブラケット７００の施工位置を上下に調整できるとともに天板５１３からの加重を支えることができるため、天板５１３のガタツキ等を防止できる。
【００４３】
戸当り部７３０は、収納部５０の前面側における支持部７１０の端部から、下方に垂下して延びて形成される。戸当り部７３０は、平面で形成された戸当り面７３１を収納部５０の前面側に有する。戸当り部７３０は、収納部５０の扉を閉めたときにこの戸当り面７３１が扉に当接することで、扉が必要以上に閉まることを防止できる。
なお、この戸当り面７３１は、上述の取り付け部７２０の取り付け面７２１と互いに平行となるように形成されている。
【００４４】
上述の支持部７１０、取り付け部７２０及び戸当り部７３０を備える本実施形態のブラケット７００は、長尺状の板材を折り曲げ成形することで形成される。即ち、取り付け部７２０は、収納部５０の後面側における支持部７１０の端部を下方に湾曲させることで形成される。また、戸当り部７３０は、収納部５０の前面側における支持部７１０の端部を下方に屈曲させることで形成される。
【００４５】
次に、把手部５１４Ｌ，５１４Ｒ及び緩衝部５１５Ｌ，５１５Ｒについて、図３及び図５を参照して説明する。
先ず、図３に示すように、把手部５１４Ｌ，５１４Ｒは、本体部５１６Ｌ，５１６Ｒと、垂直部５１７Ｌ，５１７Ｒと、先端部５１８Ｌ，５１８Ｒと、を備える。
【００４６】
本体部５１６Ｌ，５１６Ｒは、扉板５１２Ｌ，５１２Ｒに沿って上下に延びる板状の部材であり、扉板５１２Ｌ，５１２Ｒの内側に取り付けられる。
垂直部５１７Ｌ，５１７Ｒは、本体部５１６Ｌ，５１６Ｒの側壁側の端部から収納部５０の前面側に延出し、本体部５１６Ｌ，５１６Ｒに対して垂直に設けられる。
先端部５１８Ｌ，５１８Ｒは、垂直部５１７Ｌ，５１７Ｒの先端から収納部５９の中央側に延出し、垂直部５１７Ｌ，５１７Ｒに対して垂直に設けられる。
【００４７】
また図３に示すように、緩衝部５１５Ｌ，５１５Ｒは、把手部５１４Ｌ，５１４Ｒを構成する本体部５１６Ｌ，５１６Ｒの側壁側の端部から側壁側に延出して形成される。そのため、緩衝部５１５Ｌ，５１５Ｒの上端は、ブラケット７００の戸当り部７３０に当接する。
【００４８】
図５は、本実施形態に係る収納部付き便器装置１００が備える扉の戸先の構造を説明するための図であり、（ａ）が本実施形態に係る収納部付き便器装置１００の正面図であり、（ｂ）が（ａ）中に示す２点鎖線で囲まれた領域の拡大図である。ただし、図５では、説明の便宜上、手洗い器３０の記載を省略している。
図５（ａ）に示すように、緩衝部５１５Ｌ，５１５Ｒは、側壁に近接している。また、図５（ｂ）に示すように、トイレルームの側壁の下部には、通常、幅木Ｈが設けられている。そのため本実施形態では、幅木Ｈと干渉する部分には緩衝部５１５Ｌ，５１５Ｒが設けられていない。
【００４９】
軟質ゴムで形成される緩衝部５１５Ｌ，５１５Ｒは、把手部５１４Ｌ，５１４Ｒと射出成形により一体成形される。そして、幅木Ｈとの干渉を回避するために、軟質ゴム製の緩衝部５１５Ｌ，５１５Ｒの下端部を現場で切除する。これにより、従来よりも格段に容易に緩衝部５１５Ｌ，５１５Ｒを取り付けることができる。
【００５０】
以上の構成を備える収納部付き便器装置１００の施工方法について、図６を参照して説明する。
図６は、本実施形態に係る収納部付き便器装置１００の施工方法を説明するための図である。本実施形態の収納部付き便器装置１００の施工方法は、第１〜第４工程を備える。
【００５１】
第１工程では、便器１０を取り付ける。具体的には、トイレルーム内の床面Ｆの所定位置に、便器１０を取り付ける。
【００５２】
第２工程では、収納部５０を構成する一対の仕切り板５２Ｌ，５２Ｒを取り付け固定する。具体的には、図６に示すように、前板５１１、一対の仕切り板５２Ｌ，５２Ｒ及び背板５３を予め組み立てた後、前板５１１の延出部５１１Ｒ，５１１Ｌを固定部材６００，６００により床面Ｆに固定し、背板５３を便器１０の後方の壁面に固定することで、一対の仕切り板５２Ｌ，５２Ｒを取り付け固定する。
ただしこれに限定されず、予め組み立てることなく、例えば背板５３、一対の仕切り板５２Ｌ，５２Ｒ、前板５１１の順に個別に取り付けてもよい。
【００５３】
第３工程では、収納部５０を構成する天板５１３を、一対の仕切り板５２Ｌ，５２Ｒ上に取り付ける。このとき、天板５１３を、便器１０の後方の壁面や入隅部Ｓ，Ｓに接するようにして取り付ける。また、天板５１３を、背板５３の上面に図示しない面ファスナーにより取り付け固定する。
【００５４】
第４工程では、ブラケット７００，７００を、天板５１３の下面に当接させた状態で、便器１０の後方の壁面に取り付け固定する。より詳しくは図６に示すように、ブラケット７００，７００の支持部７１０，７１０を天板５１３の下面に当接させるとともに、ブラケット７００，７００の側面を両側壁に当接させた状態で、収納部５０の前面側から、ブラケット７００，７００を便器１０の後方の壁面にビス止めする。
【００５５】
最後に、収納部５０の扉板５１２Ｌ，５１２Ｒ及び把手部５１４Ｌ，５１４Ｒを取り付ける。以上により、収納部付き便器装置１００が施工される。
【００５６】
本実施形態によれば、以下の効果が奏される。
本実施形態では、天板５１３を支持する支持部７１０と、収納部５０の後面を構成する壁面に取り付け固定される取り付け部７２０と、収納部５０の扉を閉めたときに該扉に当接する戸当り部７３０と、を含んでブラケット７００を構成した。
これにより、収納部５０の前面側、即ち正面からブラケット７００を取り付け固定できるため、間口が狭い空間であっても容易に施工できる。また、正面からの取り付けが可能となったことで、天板５１３を取り付けた後にブラケット７００の施工ができるため、天板５１３合わせでブラケット７００の位置出しができる。従って、ブラケット７００の施工位置出しが不要となり、施工性が向上する。さらには、施工順序の自由度が広がる。
また、取り付け部７２０が収納部５０の後面を構成する壁面に取り付けられるため、ブラケット７００を左右の壁面に接するように取り付けることで、例えば取り付け部７２０の上下方向に離間した２箇所を隅柱まわりの受け木にビス止めできる。従って、側壁に補強木等が取り付けられていないリフォーム現場においても、プラグ施工が不要であり、施工性が向上する。
【００５７】
また本実施形態では、戸当り部７３０を、収納部５０の前面側における支持部７１０の端部を下方に垂下させることで形成した。これにより、戸当り部７３０によって収納スペースが狭小化することがなく、広い収納スペースを確保できる。
【００５８】
また本実施形態では、取り付け部７２０の取り付け面７２１と、戸当り部７３０の戸当り面７３１を、互いに平行となるように構成した。これにより、戸当り部７３０の戸当り面７３１を、収納部５０の扉に確実に面当接させることができる。
【００５９】
また本実施形態では、便器１０と、収納部５０と、タンク２０と、を備える収納部付き便器装置１００であって、便器１０の後方の壁面に取り付けられる収納部５０の天板５１３を支持するブラケット７００を備える収納部付き便器装置１００を提供した。
さらに本実施形態では、収納部付き便器装置１００及びその施工方法を提供した。具体的には、便器１０を取り付けた後、一対の仕切り板５２Ｌ，５２Ｒを取り付け固定し、天板５１３を一対の仕切り板５２Ｌ，５２Ｒ上に取り付けた後、ブラケット７００を天板５１３の下面に当接させた状態で便器１０の後方の壁面に取り付け固定した。また、ブラケット７００を収納部５０の前面側から取り付けた。
本実施形態の収納部付き便器装置１００及びその施工方法によれば、上述の効果と同様の効果が奏される。
【００６０】
以上、収納部付き便器装置１００における好ましい一実施形態について説明したが、本発明は、上述した実施形態に制限されるものではなく、適宜変更が可能である。
【００６１】
例えば、ブラケット７００を、収納部５０の前後方向に伸縮可能に構成してもよい。
図７は、本実施形態の変形例に係るブラケット８００の斜視図であり、（ａ）が伸長前の状態を示し、（ｂ）が伸長後の状態を示す図である。
図７に示すように、ブラケット８００は、支持部８１０が伸縮可能に構成され、戸当り部８３０の位置調整が可能となっている以外は、上記実施形態のブラケット７００と同様の構成である。
支持部８１０は、支持部８１０ａと、支持部８１０ａの内側を摺動してスライド移動可能に設けられた支持部８１０ｂと、を備える。支持部８１０ａ，８１０ｂの両側のフランジ８１２ａ，８１２ｂには、位置調整孔８１３ａ，８１３ｂが支持部８１０ａ，８１０ｂの延びる方向に複数形成されている。支持部８１０ｂをスライド移動させた後、これら位置調整孔８１３ａ，８１３ｂに位置調整ピン８１４を挿通することで、支持部８１０ｂが支持部８１０ａに固定され、戸当り部８３０の位置が調整される。
このブラケット８００によれば、例えば配管等の関係で収納部５０を便器１０の前方にずらして取り付ける必要がある場合に、ブラケット７００を収納部５０の前面側に伸ばすことで、戸当り部７３０の位置を調整できる。
【００６２】
また、例えば、上記実施形態では、収納部５０を間口の全幅に亘って設けたが、これに限定されない。収納部５０を間口の一部としてもよく、トイレルームの側壁を収納部５０の側面として利用できない場合には、別途、側板を設ければよい。
【００６３】
また、上記実施形態では、ブラケット７００，７００を両側壁に接するように取り付けたが、これに限定されない。収納部５０の幅方向の両端ではなく、より中央寄りに取り付けてもよい。
【符号の説明】
【００６４】
１０…便器
５０…収納部
５２Ｌ，５２Ｒ…仕切り板
１００…収納部付き便器装置
５１１…前板
５１３…天板（水平板）
７００…ブラケット
７１０…支持部
７２０…取り付け部
７２１…取り付け面
７３０…戸当り部
７３１…戸当り面
Ｆ…床面
【図１】
2015183508.tif 000003
【図２】
2015183508.tif 000004
【図３】
2015183508.tif 000005
【図４】
2015183508.tif 000006
【図５】
2015183508.tif 000007
【図６】
2015183508.tif 000008
【図７】
2015183508.tif 000009